(57)【特許請求の範囲】
【請求項１】
動画コンテンツの特殊再生処理に必要となる特殊再生用データを生成するデータ生成装置であって、
過去に同一装置内で録画または再生された動画コンテンツごとに、当該動画コンテンツに含まれる各キーワードについて重要度を付与したものを解析データとしてあらかじめ記憶する解析データ記憶手段と、
前記解析データ記憶手段により記憶されている解析データの全てについて、前記特殊再生処理の対象となる動画コンテンツから抽出された各抽出キーワードに一致する一致キーワードの検索を行って、当該一致キーワードに付与されている重要度を各々取得し、当該取得された各重要度を用いて各抽出キーワードの重要度を各々算出する重要度算出手段と、
前記重要度算出手段により算出された各抽出キーワードの重要度と、前記特殊再生処理の対象となる動画コンテンツにおける各抽出キーワードの検索位置とをそれぞれ対応付けて、新たな解析データとして前記解析データ記憶手段に格納する解析データ格納手段と、
前記解析データ格納手段により格納される前記各抽出キーワードの検索位置、および当該各抽出キーワードの重要度に基づいて、前記特殊再生用データを生成する特殊再生用データ生成手段と、
を備えたことを特徴とするデータ生成装置。
【請求項２】
動画コンテンツの特殊再生処理に必要となる特殊再生用データを生成するデータ生成装置であって、
過去に同一装置内で録画または再生された動画コンテンツごとに、当該動画コンテンツに含まれる各キーワードについて重要度を付与したものを解析データとしてあらかじめ記憶する解析データ記憶手段と、
前記録画または再生された動画コンテンツごとに属性情報をあらかじめ記憶する属性情報記憶手段と、
前記解析データ記憶手段により記憶されている解析データの全てについて、前記特殊再生処理の対象となる動画コンテンツから抽出された各抽出キーワードに一致する一致キーワードの検索を行って、当該一致キーワードに付与されている重要度を各々取得し、前記属性情報記憶手段により記憶されている属性情報の中から、前記一致キーワードに紐づく動画コンテンツの属性情報を各々取得し、前記特殊再生処理の対象となる動画コンテンツの属性情報と一致する属性情報が存在する場合には、当該属性情報に対応した動画コンテンツに紐づく前記一致キーワードについて、該取得した重要度を重み付けした上で、前記各抽出キーワードの重要度を各々算出する重要度算出手段と、
前記重要度算出手段により算出された各抽出キーワードの重要度と、前記特殊再生処理の対象となる動画コンテンツにおける各抽出キーワードの検索位置とをそれぞれ対応付けて、新たな解析データとして前記解析データ記憶手段に格納する解析データ格納手段と、
前記解析データ格納手段により格納される前記各抽出キーワードの検索位置、および当該各抽出キーワードの重要度に基づいて、前記特殊再生用データを生成する特殊再生用データ生成手段と、
を備えたことを特徴とするデータ生成装置。
【請求項３】
動画コンテンツの特殊再生処理に必要となる特殊再生用データを生成するデータ生成装置であって、
過去に同一装置内で録画または再生された動画コンテンツごとに、当該動画コンテンツに含まれる各キーワードについて重要度を付与したものを解析データとしてあらかじめ記憶する解析データ記憶手段と、
前記録画または再生された動画コンテンツごとに、当該動画コンテンツに対するユーザの操作履歴を記憶する操作履歴記憶手段と、
前記解析データ記憶手段により記憶されている解析データの全てについて、前記特殊再生処理の対象となる動画コンテンツから抽出された各抽出キーワードに一致する一致キーワードの検索を行って、当該一致キーワードに付与されている重要度を各々取得し、前記操作履歴記憶手段により記憶されている操作履歴の中から、前記一致キーワードに紐づく動画コンテンツの操作履歴を各々取得し、当該操作履歴から特定される再生操作回数に応じて、当該操作履歴に紐づく前記一致キーワードについて、該取得した重要度を各々重み付けした上で、前記各抽出キーワードの重要度を各々算出する重要度算出手段と、
前記重要度算出手段により算出された各抽出キーワードの重要度と、前記特殊再生処理の対象となる動画コンテンツにおける各抽出キーワードの検索位置とをそれぞれ対応付けて、新たな解析データとして前記解析データ記憶手段に格納する解析データ格納手段と、
前記解析データ格納手段により格納される前記各抽出キーワードの検索位置、および当該各抽出キーワードの重要度に基づいて、前記特殊再生用データを生成する特殊再生用データ生成手段と、
を備えたことを特徴とするデータ生成装置。
【請求項４】
前記操作履歴記憶手段は、前記操作履歴に対応付けて、当該操作履歴に示される操作を実行したユーザを特定するためのユーザ情報を記憶し、
前記重要度算出手段は、前記操作履歴記憶手段により記憶されているユーザ情報の中から、前記一致キーワードに紐づく動画コンテンツの操作履歴に対応するユーザ情報を各々取得し、当該操作履歴に対応するユーザ情報が前記特殊再生処理を希望するユーザのユーザ情報と同一である場合には、ユーザ情報が互いに同一である操作履歴に対応した動画コンテンツに紐づく前記一致キーワードの重要度を各々重み付けした上で、前記各抽出キーワードの重要度を各々算出することを特徴とする請求項３に記載のデータ生成装置。
【請求項５】
動画コンテンツの特殊再生処理に必要となる特殊再生用データを生成するデータ生成装置であって、
過去に同一装置内で録画または再生された動画コンテンツごとに、当該動画コンテンツに含まれる各キーワードについて重要度を付与したものを解析データとしてあらかじめ記憶する解析データ記憶手段と、
前記録画または再生された動画コンテンツごとに、当該動画コンテンツが録画または再生されてからの経過時間を動画コンテンツごとに記憶する経過時間記憶手段と、
前記解析データ記憶手段により記憶されている解析データの全てについて、前記特殊再生処理の対象となる動画コンテンツから抽出された各抽出キーワードに一致する一致キーワードの検索を行って、当該一致キーワードに付与されている重要度を各々取得し、前記経過時間記憶手段により記憶されている経過時間の中から、前記一致キーワードに紐づく動画コンテンツの経過情報を各々取得して、当該取得された経過情報に応じて、当該経過情報に対応した動画コンテンツに紐づく前記一致キーワードについて、該取得した重要度を各々重み付けした上で、前記各抽出キーワードの重要度を各々算出する重要度算出手段と、
前記重要度算出手段により算出された各抽出キーワードの重要度と、前記特殊再生処理の対象となる動画コンテンツにおける各抽出キーワードの検索位置とをそれぞれ対応付けて、新たな解析データとして前記解析データ記憶手段に格納する解析データ格納手段と、
前記解析データ格納手段により格納される前記各抽出キーワードの検索位置、および当該各抽出キーワードの重要度に基づいて、前記特殊再生用データを生成する特殊再生用データ生成手段と、
を備えたことを特徴とするデータ生成装置。
【請求項６】
動画コンテンツの特殊再生処理に必要となる特殊再生用データの生成処理をコンピュータに実行させるデータ生成プログラムであって、
過去に同一装置内で録画または再生された動画コンテンツごとに、当該動画コンテンツに含まれる各キーワードについて重要度を付与したものを解析データとしてあらかじめ記憶部に記憶する解析データ記憶手順と、
前記解析データ記憶手順により記憶部に記憶された解析データの全てについて、前記特殊再生処理の対象となる動画コンテンツから抽出された各抽出キーワードに一致する一致キーワードの検索を行って、当該一致キーワードに付与されている重要度を各々取得し、当該取得された各重要度を用いて各抽出キーワードの重要度を各々算出する重要度算出手順と、
前記重要度算出手順により算出された各抽出キーワードの重要度と、前記特殊再生処理の対象となる動画コンテンツにおける各抽出キーワードの検索位置とをそれぞれ対応付けて、新たな解析データとして前記記憶部に格納する解析データ格納手順と、
前記解析データ格納手順により格納される前記各抽出キーワードの検索位置、および当該各抽出キーワードの重要度に基づいて、前記特殊再生用データを生成する特殊再生用データ生成手順と、
をコンピュータに実行させることを特徴とするデータ生成プログラム。
【請求項７】
動画コンテンツの特殊再生処理に必要となる特殊再生用データを用いて、前記動画コンテンツの特殊再生処理を行う情報処理装置であって、
過去に同一装置内で録画または再生された動画コンテンツごとに、当該動画コンテンツに含まれる各キーワードについて重要度を付与したものを解析データとしてあらかじめ記憶する解析データ記憶手段と、
前記解析データ記憶手段により記憶されている解析データの全てについて、前記特殊再生処理の対象となる動画コンテンツから抽出された各抽出キーワードに一致する一致キーワードの検索を行って、当該一致キーワードに付与されている重要度を各々取得し、当該取得された各重要度を用いて各抽出キーワードの重要度を各々算出する重要度算出手段と、
前記重要度算出手段により算出された各抽出キーワードの重要度と、前記特殊再生処理の対象となる動画コンテンツにおける各抽出キーワードの検索位置とをそれぞれ対応付けて、新たな解析データとして前記解析データ記憶手段に格納する解析データ格納手段と、
前記解析データ格納手段により格納される前記各抽出キーワードの検索位置、および当該各抽出キーワードの重要度に基づいて、前記特殊再生用データを生成する特殊再生用データ生成手段と、
前記特殊再生用データ生成手段により生成された前記特殊再生用データを用いて、前記特殊再生処理の対象となる動画コンテンツを特殊再生する特殊再生手段と、
を備えたことを特徴とする情報処理装置。
【発明の詳細な説明】
【技術分野】
【０００１】
この発明は、蓄積されている動画コンテンツの特殊再生処理に必要となる特殊再生用データを生成するデータ生成装置、当該特殊再生用データの生成処理をコンピュータに実行させるデータ生成プログラム、および蓄積されている動画コンテンツの特殊再生処理に必要となる特殊再生用データを用いて、前記動画コンテンツの特殊再生処理を行う情報処理装置に関する。
【背景技術】
【０００２】
従来、放映されるＴＶ動画やインターネット配信動画などの動画コンテンツを効率的に楽しむために、ＰＣやＡＶ機器等には、ダイジェストやハイライト等の特殊再生機能が備えられているが、この特殊再生機能によって実行される特殊再生に必要となる特殊再生用のデータ（メタデータ）を生成する技術が存在する。
【０００３】
上記の技術に関連する従来技術として、例えば、特許文献１では、動画コンテンツ内の特徴的なキーワードを音声出力レベルに基づいて抽出した一覧を用意し、そのキーワードを含むシーン群を特殊再生する技術が開示されている。また、例えば、特許文献２では、Ｗｅｂページ上での出現頻度等に基づいたキーワード優先度等を用いて、動画コンテンツ内の各シーンについてシーン優先度を決定し、このシーン優先度に基づいて動画コンテンツのダイジェストを作成する技術が開示されている。
【０００４】
【特許文献１】特表２００４−５１３５４７号公報
【特許文献２】特開２００５−６４５６１号公報
【発明の開示】
【発明が解決しようとする課題】
【０００５】
しかしながら、上記した特殊再生用のデータを生成に関連する従来の技術は、特殊再生という目的を満足するだけの高い精度を持った特殊再生用のデータを生成できるとは限らないという問題点があった。
【０００６】
すなわち、例えば、特許文献１に開示されている音声出力レベルに基づいて抽出されるキーワードや、特許文献２に開示されているＷｅｂページ上での出現頻度に基づいたキーワードの優先度等が、特殊再生という目的にとって有益なものとは限らないので、特殊再生という目的を満足するだけの高い精度を持った特殊再生用のデータを生成できるとは限らないという問題点があった。
【０００７】
そこで、この発明は、上述した従来技術の課題を解決するためになされたものであり、特殊再生という目的を満足するだけの高い精度を持った特殊再生用のデータを生成することが可能なデータ生成装置、データ生成プログラムおよび情報処理装置を提供することを目的とする。
【課題を解決するための手段】
【０００８】
上述した課題を解決し、目的を達成するため、本発明は、動画コンテンツの特殊再生処理に必要となる特殊再生用データを生成するデータ生成装置であって、過去に同一装置内で録画または再生された動画コンテンツごとに、当該動画コンテンツに含まれる各キーワードについて重要度を付与したものを解析データとしてあらかじめ記憶する解析データ記憶手段と、前記解析データ記憶手段により記憶されている解析データの全てについて、前記特殊再生処理の対象となる動画コンテンツから抽出された各抽出キーワードに一致する一致キーワードの検索を行って、当該一致キーワードに付与されている重要度を各々取得し、当該取得された各重要度を用いて各抽出キーワードの重要度を各々算出する重要度算出手段と、前記重要度算出手段により算出された各抽出キーワードの重要度と、前記特殊再生処理の対象となる動画コンテンツにおける各抽出キーワードの検索位置とをそれぞれ対応付けて、新たな解析データとして格納する解析データ格納手段と、前記解析データ格納手段により格納される前記各抽出キーワードの検索位置、および当該各抽出キーワードの重要度に基づいて、前記特殊再生用データを生成する特殊再生用データ生成手段と、を備えたことを要件とする。
【０００９】
また、本発明は、上記の発明において、前記録画または再生された動画コンテンツごとに属性情報をあらかじめ記憶する属性情報記憶手段をさらに備え、前記重要度算出手段は、前記属性情報記憶手段により記憶されている属性情報の中から、前記一致キーワードに紐づく動画コンテンツの属性情報を各々取得し、前記特殊再生処理の対象となる動画コンテンツの属性情報と一致する属性情報が存在する場合には、当該属性情報に対応した動画コンテンツに紐づく前記一致キーワードの重要度を重み付けした上で、前記各抽出キーワードの重要度を各々算出することを要件とする。
【００１０】
また、本発明は、上記の発明において、前記録画または再生された動画コンテンツごとに、当該動画コンテンツに対するユーザの操作履歴を記憶する操作履歴記憶手段をさらに備え、前記重要度算出手段は、前記操作履歴記憶手段により記憶されている操作履歴の中から、前記一致キーワードに紐づく動画コンテンツの操作履歴を各々取得し、当該操作履歴から特定される再生操作回数に応じて、当該操作履歴に対応した動画コンテンツに紐づく前記一致キーワードの重要度を各々重み付けした上で、前記各抽出キーワードの重要度を各々算出することを要件とする。
【００１１】
また、本発明は、上記の発明において、前記操作履歴記憶手段は、前記操作履歴に対応付けて、当該操作履歴に示される操作を実行したユーザを特定するためのユーザ情報を記憶し、前記重要度算出手段は、前記操作履歴記憶手段により記憶されているユーザ情報の中から、前記一致キーワードに紐づく動画コンテンツの操作履歴に対応するユーザ情報を各々取得し、当該操作履歴に対応するユーザ情報が前記特殊再生処理を希望するユーザのユーザ情報と同一である場合には、ユーザ情報が互いに同一である操作履歴に対応した動画コンテンツに紐づく前記一致キーワードの重要度を各々重み付けした上で、前記各抽出キーワードの重要度を各々算出することを要件とする。
【００１２】
また、本発明は、上記の発明において、前記録画または再生された動画コンテンツごとに、当該動画コンテンツが録画または再生されてからの経過時間を動画コンテンツごとに記憶する経過時間記憶手段をさらに備え、前記経過情報記憶手段により記憶されている経過時間の中から、前記一致キーワードに紐づく動画コンテンツの経過情報を各々取得して、当該取得された経過情報に応じて、当該経過情報に対応した動画コンテンツに紐づく前記一致キーワードの重要度を各々重み付けした上で、前記各抽出キーワードの重要度を各々算出することを要件とする。
【００１３】
また、本発明は、動画コンテンツの特殊再生処理に必要となる特殊再生用データの生成処理をコンピュータに実行させるデータ生成プログラムであって、過去に同一装置内で録画または再生された動画コンテンツごとに、当該動画コンテンツに含まれる各キーワードについて重要度を付与したものを解析データとしてあらかじめ記憶部に記憶する解析データ記憶手順と、前記解析データ記憶手順により記憶部に記憶された解析データの全てについて、前記特殊再生処理の対象となる動画コンテンツから抽出された各抽出キーワードに一致する一致キーワードの検索を行って、当該一致キーワードに付与されている重要度を各々取得し、当該取得された各重要度を用いて各抽出キーワードの重要度を各々算出する重要度算出手順と、前記重要度算出手順により算出された各抽出キーワードの重要度と、前記特殊再生処理の対象となる動画コンテンツにおける各抽出キーワードの検索位置とをそれぞれ対応付けて、新たな解析データとして記憶部に格納する解析データ格納手順と、前記解析データ格納手順により格納される前記各抽出キーワードの検索位置、および当該各抽出キーワードの重要度に基づいて、前記特殊再生用データを生成する特殊再生用データ生成手順と、をコンピュータに実行させることを要件とする。
【００１４】
また、本発明は、動画コンテンツの特殊再生処理に必要となる特殊再生用データを用いて、前記動画コンテンツの特殊再生処理を行う情報処理装置であって、過去に同一装置内で録画または再生された動画コンテンツごとに、当該動画コンテンツに含まれる各キーワードについて重要度を付与したものを解析データとしてあらかじめ記憶する解析データ記憶手段と、前記解析データ記憶手段により記憶されている解析データの全てについて、前記特殊再生処理の対象となる動画コンテンツから抽出された各抽出キーワードに一致する一致キーワードの検索を行って、当該一致キーワードに付与されている重要度を各々取得し、当該取得された各重要度を用いて各抽出キーワードの重要度を各々算出する重要度算出手段と、前記重要度算出手段により算出された各抽出キーワードの重要度と、前記特殊再生処理の対象となる動画コンテンツにおける各抽出キーワードの検索位置とをそれぞれ対応付けて、新たな解析データとして格納する解析データ格納手段と、前記解析データ格納手段により格納される前記各抽出キーワードの検索位置、および当該各抽出キーワードの重要度に基づいて、前記特殊再生用データを生成する特殊再生用データ生成手段と、前記特殊再生用データ生成手段により生成された前記特殊再生用データを用いて、前記特殊再生処理の対象となる動画コンテンツを特殊再生する特殊再生手段と、を備えたことを特徴とする。
【発明の効果】
【００１５】
開示の装置およびプログラムは、特殊再生という目的を満足するだけの高い精度を持った特殊再生用のデータを生成できるという効果を奏する。
【００１６】
また、開示の装置は、動画コンテンツの属性（例えば、スポーツやニュースなどのジャンルやコンテンツのタイトルなど）を加味したキーワードの重要度を得ることができるという効果をそうする。
【００１７】
また、開示の装置は、ユーザの視聴傾向を加味したキーワードの重要度を得ることができるという効果を奏する。
【００１８】
また、開示の装置は、各ユーザに視聴傾向を強く反映させたキーワードの重要度を得ることができるという効果を奏する。
【００１９】
また、開示の装置は、時間の流れとともに変化するユーザの視聴傾向を考慮したキーワードの重要度を得えることができるという効果を奏する。
【００２０】
また、開示の装置は、ユーザの視聴傾向に沿った特殊再生を行うことができるという効果を奏する。
【発明を実施するための最良の形態】
【００２１】
以下に添付図面を参照して、この発明に係るデータ生成装置、データ生成プログラムおよび情報処理装置を実施するための実施の形態を説明する。なお、以下では、本発明を実施するための一実施形態として、本発明に係るデータ生成装置の機能を有する情報処理装置を例に挙げた実施例１を説明した後に、本発明に含まれる他の実施形態として他の実施例を説明する。
【実施例１】
【００２２】
以下の実施例１では、実施例１に係る情報処理装置の概要および特徴、かかる情報処理装置の構成および処理を順に説明し、最後に実施例１による効果を説明する。
【００２３】
［情報処理装置の概要および特徴（実施例１）］
最初に、図１を用いて、実施例１に係る情報処理装置の概要および特徴を説明する。図１は、実施例１に係る情報処理装置の概要および特徴を説明するための図である。
【００２４】
実施例１に係る情報処理装置は、動画コンテンツの特殊再生処理に必要となる特殊再生用データを生成し、この特殊再生用データを用いて特殊再生処理を行うことを概要とする。そして、実施例１に係る情報処理装置は、特殊再生という目的を満足するだけの高い精度を持った特殊再生用のデータを生成できる点に主たる特徴がある。
【００２５】
この主たる特徴について具体的に説明すると、実施例１に係る情報処理装置は、図１に示すように、内部に蓄積されている動画コンテンツの中で、特殊再生処理（例えば、ダイジェストやハイライトなどの再生処理）の対象となる動画コンテンツから文字情報を取得し、この文字情報に含まれる文字（例えば、「サッカー」などの文字）をキーワードとして抽出する（図１の（１）参照）。
【００２６】
そして、実施例１に係る情報処理装置は、特殊再生処理の対象となる動画コンテンツから抽出されたキーワード（以下、適宜「抽出キーワード」と記載する）の重要度を算出する（図１の（２）参照）。
【００２７】
キーワードの重要度算出について具体的に説明すると、実施例１に係る情報処理装置は、過去に録画または再生された動画コンテンツごとに、動画コンテンツに含まれる各キーワードについて重要度を付与したものをキーワード出現情報としてあらかじめ記憶しておく。キーワード出現情報は、動画コンテンツを識別する動画ＩＤに対応付けて、その動画ＩＤに対応する動画コンテンツに含まれていたキーワード、および各キーワードの重要度を少なくとも記憶して構成される。
【００２８】
特殊再生処理の対象となる動画コンテンツからのキーワード抽出後、実施例１に係る情報処理装置は、キーワード出現情報内のキーワードの中について、抽出キーワードに一致する一致キーワードの検索を行って、検索にヒットした一致キーワードに付与されている重要度を各々取得し、取得された各重要度を用いて各抽出キーワードの重要度を各々算出する。
【００２９】
各抽出キーワードの重要度算出後、実施例１に係る情報処理装置は、各抽出キーワードの重要度と、特殊再生処理の対象となる動画コンテンツにおける各抽出キーワードの検索位置とをそれぞれ対応付けて、新たなキーワード出現情報として格納する。
【００３０】
そして、実施例１に係る情報処理装置は、特殊再生処理の対象となる動画コンテンツにおける各抽出キーワードの検索位置、および各抽出キーワードの重要度に基づいて、特殊再生用データを生成する（図１の（３）参照）。
【００３１】
具体的に説明すると、実施例１に係る情報処理装置は、特殊再生処理の対象となる動画コンテンツにおける各抽出キーワードの検索位置、および各抽出キーワードの重要度に基づいて、特殊再生処理の対象となる動画コンテンツから特殊再生用のシーンを抽出し、抽出された各シーンによる特殊再生を行うための特定再生用データを生成する。
【００３２】
特殊再生用データの生成後、実施例１に係る情報処理装置は、この特殊再生用データを用いて特殊再生を行って特殊再生データを表示装置に出力することで、特殊再生処理の対象となる動画コンテンツの特殊再生映像をユーザに提供する。
【００３３】
このようにして、実施例１に係る情報処理装置は、上述した主たる特徴のように、特殊再生という目的を満足するだけの高い精度を持った特殊再生用のデータを生成できる。
【００３４】
［情報処理装置の構成（実施例１）］
次に、図２〜図１１を用いて、実施例１に係る情報処理装置の構成を説明する。図２は、実施例１に係る情報処理装置の構成を示すブロック図である。図３は、実施例１に係る動画コンテンツの構成例を示す図である。図４は、実施例１に係るキーワード出現情報の構成例を示す図である。図５は、実施例１に係る動画コンテンツの属性情報の構成例を示す図である。図６は、実施例１に係る操作履歴の構成例を示す図である。図７は、実施例１に係るキーワード抽出例を示す図である。図８は、実施例１に係るユーザの操作概要を示す図である。図９は、実施例１に係る重要度の算出式を示す図である。図１０は、実施例１に係る処理対象コンテンツ内のキーワードと重要度の対応付けを示す図である。図１１は、実施例１に係る処理対象コンテンツからのシーン抽出を説明するための図である。
【００３５】
図２に示すように、実施例１に係る情報処理装置１０は、ＡＶデータ入力部１１と、ＡＶデータ表示部１２と、記憶部１３と、制御部１４とから構成される。
【００３６】
このうち、ＡＶデータ入力部１１は、ＴＶ動画やインターネット配信動画などの動画コンテンツのデータの入力を受け付ける入力受付部であり、入力を受け付けた動画コンテンツのデータを後述するＡＶデータ録画部１４ａに出力する。ＡＶデータ表示部１２は、動画コンテンツを表示する出力表示部であり、後述するＡＶデータ再生部１４ｂから受け付けた再生データを出力表示し、例えば、モニタ（若しくはディスプレイ、タッチパネル）やスピーカなどを備えて構成される。
【００３７】
記憶部１３は、制御部１４による各種処理に必要なデータおよびプログラムなどを記憶する記憶部であり、特に本発明に密接に関連するものとしては、動画コンテンツ記憶部１３ａと、キーワード出現情報記憶部１３ｂと、属性情報記憶部１３ｃと、操作履歴情報記憶部１３ｄと、経過時間情報記憶部１３ｅとを備える。
【００３８】
動画コンテンツ記憶部１３ａは、後述するＡＶデータ録画部１４ａから格納されたＴＶ動画やインターネット配信動画などの動画コンテンツのデータを記憶する。具体的には、動画コンテンツ記憶部１３ａは、図３に例示すように、文字情報を含んだ動画コンテンツのデータを記憶して構成される。ここで、文字情報とは、クローズド・キャプションのような字幕情報、音声データに対して音声認識処理に行うことにより取得されたデータ、およびテロップなどに対して文字認識処理を行うことにより取得されたデータなどがこれに該当する。
【００３９】
キーワード出現情報記憶部１３ｂは、過去に、特殊再生処理の対象となった動画コンテンツを解析した際の解析データをキーワード出現情報として記憶する。具体的には、キーワード出現情報記憶部１３ｂは、図４に例示すように、特殊再生処理の対象となった動画コンテンツに含まれていたキーワードと、そのキーワードを含んでいた動画コンテンツを識別する動画ＩＤと、キーワードの出現形態と、動画コンテンツにおけるキーワードの出現開始位置および出現終了位置と、キーワードの重要度とを対応付けてキーワード出現情報として記憶して構成される。例えば、キーワード出現情報記憶部１３ｂは、キーワード「シュート」と、動画ＩＤ「３６９８５５４」と、出現形態「音声」と、出現開始位置「０：２０：５４」および出現終了位置「０：２０：５５」と、重要度「０．８１４９３７」とを対応付けて記憶する。なお、動画ＩＤは、上記のような識別子の他、ファイル名など動画ＩＤを識別するための情報であればよい。
【００４０】
また、キーワードの重要度は、動画コンテンツ記憶部１３ａに記憶されている動画コンテンツから特殊再生用のシーンを抽出する場合に参照される情報であり、情報処理装置１０内で初めて特殊再生処理が実行される場合に用いる重要度は、製品出荷時にプリセットで与えておく。また、キーワード出現情報記憶部１３ａに、重要度を含んだデフォルトのキーワード出現情報を製品出荷時に格納しておいてもよい。
【００４１】
なお、キーワード出現情報記憶部１３ａは、特許請求の範囲記載の「解析データ記憶手段」に対応する。
【００４２】
属性情報記憶部１３ｃは、動画コンテンツ記憶部１３ａに記憶されたＴＶ動画やインターネット配信動画などの動画コンテンツの属性情報を記憶する。具体的には、属性情報記憶部１３ｃは、図５に例示するように、動画コンテンツを識別するための動画ＩＤに対応付けて、コンテンツタイトルと、コンテンツの詳細と、コンテンツのジャンルと、コンテンツの開始日時（録画開始日時）と、コンテンツの終了日時（録画終了日時）と、放送局とを属性情報として記憶して構成される。
【００４３】
なお、属性情報記憶部１３ｃは、特許請求の範囲記載の「属性情報記憶手段」に対応する。
【００４４】
操作履歴記憶部１３ｄは、動画コンテンツ記憶部１３ａに記憶されたＴＶ動画やインターネット配信動画などの動画コンテンツに対するユーザの操作履歴を記憶する。具体的には、操作履歴記憶部１３ｄは、図６に例示するように、動画コンテンツを識別するための動画ＩＤに対応付けて、ユーザの具体的な操作内容である操作と、動画コンテンツにおける操作開始位置である操作位置１と、動画コンテンツにおける操作終了位置である操作位置２と、捜査を行ったユーザを特定するためのユーザ情報とを対応付けて操作履歴として記憶して構成される。
【００４５】
なお、操作履歴記憶部１３ｄは、特許請求の範囲記載の「操作履歴記憶手段」に対応する。
【００４６】
経過時間情報記憶部１３ｅは、動画コンテンツ記憶部１３ａに記憶されたＴＶ動画やインターネット配信動画などの動画コンテンツが録画されてからの経過時間、再生されてからの経過時間、あるいは両経過時間を記憶し、例えば、動画ＩＤに対応付けて、動画コンテンツが録画または再生されてからの経過時間情報として記憶して構成される。
【００４７】
なお、経過時間情報記憶部１３ｅは、特許請求の範囲記載の「経過時間情報記憶手段」に対応する。
【００４８】
制御部１４は、所定の制御プログラム、各種の処理手順などを規定したプログラムおよび所要データを格納するための内部メモリを有し、これらによって種々の処理を実行する処理部であり、特に本発明に密接に関連するものとしては、ＡＶデータ録画部１４ａと、ＡＶデータ再生部１４ｂと、キーワード抽出部１４ｃと、特殊再生演算部１４ｄとを備える。
【００４９】
ＡＶデータ録画部１４ａは、ＴＶ動画やインターネット配信動画などの動画コンテンツのデータの入力をＡＶデータ入力部１１から受け付けて、動画コンテンツ記憶部１３ａに格納する処理部である。
【００５０】
ＡＶデータ再生部１４ｂは、動画コンテンツ記憶部１３ａに記憶されている動画コンテンツを再生し、再生データをＡＶデータ表示部１２に出力する処理部である。また、ＡＶデータ再生部１４ｂは、特殊再生演算部１４ｄにより生成された特殊再生用データを用いて、動画コンテンツ記憶部１３ａに記憶されている動画コンテンツを特殊再生（例えば、ダイジェストやハイライトなどの特殊再生）し、特殊再生データをＡＶデータ表示部１２に出力する。
【００５１】
なお、ＡＶデータ再生部１４ｂは、特許請求の範囲記載の「特殊再生手段」に対応する。
【００５２】
キーワード抽出部１４ｃは、例えば、図７に示すように、特殊再生処理の対象となる動画コンテンツからキーワードを抽出する処理部である。具体的に説明すると、キーワード抽出部１４ｃは、特殊再生処理の対象となる動画コンテンツを動画コンテンツ記憶部１３ａから読み込んで、クローズド・キャプションのような字幕情報、音声データに対して音声認識処理に行うことにより取得されたデータ、およびテロップなどに対して文字認識処理を行うことにより取得されたデータを文字情報として取得し、この文字情報に含まれる文字（例えば、「シュート」や「ゴール」、「サッカー」などの文字）をキーワードとして抽出する。そして、キーワード抽出部１４ｃは、抽出キーワードを特殊再生演算部１４ｄに出力する。
【００５３】
特殊再生演算部１４ｄは、特殊再生処理の対象となる動画コンテンツの特殊再生用データを生成する処理部である。具体的に説明すると、特殊再生演算部１４ｄは、キーワード抽出部１４ｃから抽出キーワードを受け付けると、キーワード出現情報記憶部１３ｂからキーワード出現情報を読み込む。
【００５４】
そして、特殊再生演算部１４ｄは、キーワード出現情報内のキーワードの中について、抽出キーワードに一致する一致キーワードの検索を行って、検索にヒットした一致キーワードに付与されている重要度を各々取得する。
【００５５】
次に、特殊再生演算部１４ｄは、一致キーワードに対応する動画ＩＤをキーワード出現情報内から取得して、この動画ＩＤに対応する属性情報を属性情報記憶部１３ｃに記憶されている属性情報の中から各々取得する。そして、特殊再生処理の対象となっている動画コンテンツと属性情報が一致する動画ＩＤに紐づく一致キーワードについて、先に取得した重要度を一定比率増加させることを決定する。
【００５６】
続いて、特殊再生演算部１４ｄは、一致キーワードに対応する動画ＩＤに対応した操作履歴を操作履歴記憶部１３ｄに記憶されている操作履歴の中から各々取得する。そして、特殊再生演算部１４ｄは、操作履歴から特定される再生操作回数に応じて、各操作履歴内の動画ＩＤに紐づく一致キーワードの重要度を一定比率増加させることを決定するとともに、操作履歴に対応するユーザ情報が特殊再生処理を希望するユーザのユーザ情報と同一である場合には、ユーザ情報が互いに同一となった操作履歴内の動画ＩＤに紐づく一致キーワードの重要度を一定比率増加させることを決定する。なお、特殊演算再生部１４ｄは、例えば、図８に示すように、操作履歴内の操作として記憶されている再生開始や逆スキップの数から再生操作回数を特定できる。
【００５７】
さらに、特殊再生演算部１４ｄは、一致キーワードに対応する動画ＩＤに対応した経過時間情報を経過時間情報記憶部１３ｅに記憶されている経過時間情報の中から各々取得する。そして、特殊再生演算部１４ｄは、取得した経過時間情報に応じて、例えば、経過時間が所定の時間よりも短ければ、経過時間情報内の動画ＩＤに紐づく一致キーワードの重要度を一定比率増加させることを決定する。
【００５８】
なお、録画からの経過時間が記憶されている場合には録画からの経過時間を用い、最初に再生されてからの経過時間が記憶されている場合には、最初に再生されてからの経過時間を用い、複数回の再生により最後に再生されてからの経過時間が記憶されている場合には、最後に再生されてからの経過時間を用いることができる。また、経過時間の長さに応じて増加させる比率を変更するようにすることもできる。
【００５９】
そして、特殊再生演算部１４ｄは、図９に示す式（Ａ）に、一定比率増加の決定を行った箇所（「属性比率」、「再生回数」、「ユーザ比率」および「経過時間比率」）に所定の変数を代入して、各抽出キーワードの重要度をそれぞれ算出する。
【００６０】
各抽出キーワードの重要度算出後、特殊再生演算部１４ｄは、特殊再生処理の対象となる動画コンテンツにおける各抽出キーワードの検索位置、および各抽出キーワードの重要度を対応付ける（図１０参照）。そして、特殊再生演算部１４ｄは、特殊再生処理対象である動画コンテンツ内の各抽出キーワードの検索位置および各抽出キーワードの重要度に基づいて、特殊再生処理の対象となる動画コンテンツから特殊再生用のシーンを抽出し、抽出された各シーンによる特殊再生を行うための特定再生用データを生成する。なお、特殊再生演算部１４ｄは、各抽出キーワードの重要度と、特殊再生処理の対象となる動画コンテンツにおける各抽出キーワードの検索位置とをそれぞれ対応付けて、新たなキーワード出現情報としてキーワード出現情報記憶部１３ａに格納する。
【００６１】
特殊再生演算部１４ｄは、例えば、重要度の高い抽出キーワードをグループ化して、グループ化された抽出キーワードの出現開始位置および出現終了位置に基づいて、特殊再生処理の対象となる動画コンテンツから特殊再生用のシーンを抽出する。あるいは、特殊再生演算部１４ｄは、抽出キーワードの重要度を補助的に用いて、音声データのみ、音声データと映像データとの組合せから判定して抽出したシーンごとに、シーンに含まれるキーワードの重要度を加算し、キーワードの重要度が加味された結果を最終的なシーンとしてそれぞれ抽出するようにしてもよい。
【００６２】
そして、特殊再生演算部１４ｄは、生成した特殊再生用データをＡＶデータ再生部１４ｂに出力する。
【００６３】
なお、特殊再生演算部１４ｄは、上述したユーザ情報に基づく抽出キーワードの重要度の一定比率増加決定において、動画コンテンツの特殊再生処理を希望するユーザのユーザ情報をあらかじめ取得しているものとする。また、ユーザ情報は、ユーザＩＤのような識別子に限らず、例えば、コンピュータへのログインユーザ名、指紋認証および顔画像認証などによる認証情報のように、ユーザを特定できる情報を用いることができる。
【００６４】
なお、情報処理装置１０は、既知のパーソナルコンピュータ、ワークステーションなどの情報処理装置に、上記した制御部の各処理機能（ＡＶデータ録画部１４ａと、ＡＶデータ再生部１４ｂと、キーワード抽出部１４ｃと、特殊再生演算部１４ｄに対応する処理機能）を搭載することによって実現することもできる。
【００６５】
［情報処理装置による処理（実施例１）］
続いて、図１２および図１３を用いて、実施例１に係る情報処理装置による処理を説明する。図１２は、実施例１に係る情報処理装置の処理の流れを示すフローチャートである。図１３は、実施例１に係る重要度算出処理の流れを示すフローチャートである。
【００６６】
まず、図１２を用いて、実施例１に係る情報処理装置の全体的な処理の流れを説明する。同図に示すように、例えば、ユーザから特殊再生処理開示指示を受け付けると（ステップＳ１２０１肯定）、情報処理装置１０は、特殊再生処理の対象となる動画コンテンツから取得した文字情報からキーワードを抽出し、抽出されたキーワード（以下、適宜「抽出キーワード」と記載する）の重要度を算出する重要度算出処理を実行する（ステップＳ１２０２）。
【００６７】
そして、情報処理装置１０は、特殊再生処理の対象となる動画コンテンツにおける各抽出キーワードの検索位置、および重要度算出処理により算出された各抽出キーワードの重要度に基づいて、特殊再生用データを生成する（ステップＳ１２０３）。
【００６８】
具体的に説明すると、実施例１に係る情報処理装置は、特殊再生処理の対象となる動画コンテンツにおける各抽出キーワードの検索位置、および各抽出キーワードの重要度に基づいて、特殊再生処理の対象となる動画コンテンツから特殊再生用のシーンを抽出し、抽出された各シーンによる特殊再生を行うための特定再生用データを生成する。
【００６９】
ＡＶデータ再生部１４ｂは、特殊再生演算部１４ｄにより生成された特殊再生用データを用いて、動画コンテンツ記憶部１３ａに記憶されている動画コンテンツを特殊再生（例えば、ダイジェストやハイライトなどの特殊再生）し、特殊再生データをＡＶデータ表示部１２に出力する（ステップＳ１２０４）。
【００７０】
なお、図１２では、特殊再生処理開始指示をトリガーとして、情報処理装置１０が処理を実行する場合を説明したが、例えば、新たな動画コンテンツの録画が完了したことをトリガーとして、新たな動画コンテンツの特殊再生用データの生成（ステップＳ１２０３）までを実行するようにしてもよい。
【００７１】
次に、図１３を用いて、実施例１に係る重要度算出処理の流れを説明する。同図に示すように、キーワード抽出部１４ｃは、特殊再生処理の対象となる動画コンテンツからキーワードを抽出する（ステップＳ１３０１、図７参照）。具体的に説明すると、キーワード抽出部１４ｃは、特殊再生処理の対象となる動画コンテンツを動画コンテンツ記憶部１３ａから読み込んで、クローズド・キャプションのような字幕情報、音声データに対して音声認識処理に行うことにより取得されたデータ、およびテロップなどに対して文字認識処理を行うことにより取得されたデータを文字情報として取得し、この文字情報に含まれる文字（例えば、「シュート」や「ゴール」、「サッカー」などの文字）をキーワードとして抽出する。そして、キーワード抽出部１４ｃは、抽出キーワードを特殊再生演算部１４ｄに出力する。
【００７２】
特殊再生演算部１４ｄは、キーワード抽出部１４ｃから抽出キーワードを受け付けると、キーワード出現情報記憶部１３ｂからキーワード出現情報を読み込み、キーワード出現情報内のキーワードの中について、抽出キーワードに一致する一致キーワードの検索を行って、検索にヒットした一致キーワードに付与されている重要度を各々取得する（ステップＳ１３０２）。
【００７３】
次に、特殊再生演算部１４ｄは、一致キーワードに対応する動画ＩＤをキーワード出現情報内から取得して、この動画ＩＤに対応する属性情報を属性情報記憶部１３ｃに記憶されている属性情報の中から各々取得する（ステップＳ１３０４）。そして、特殊再生処理の対象となっている動画コンテンツと属性情報が一致する動画ＩＤに紐づく一致キーワードについて、先に取得した重要度を一定比率増加させることを決定する（ステップＳ１３０５）。
【００７４】
続いて、特殊再生演算部１４ｄは、一致キーワードに対応する動画ＩＤに対応した操作履歴を操作履歴記憶部１３ｄに記憶されている操作履歴の中から各々取得する（ステップＳ１３０６）。そして、特殊再生演算部１４ｄは、操作履歴から特定される再生操作回数に応じて、各操作履歴内の動画ＩＤに紐づく一致キーワードの重要度を一定比率増加させることを決定するとともに、操作履歴に対応するユーザ情報が特殊再生処理を希望するユーザのユーザ情報と同一である場合には、ユーザ情報が互いに同一となった操作履歴内の動画ＩＤに紐づく一致キーワードの重要度を一定比率増加させることを決定する（ステップＳ１３０７）。なお、特殊演算再生部１４ｄは、操作履歴内の操作として記憶されている再生開始や逆スキップの数から再生操作回数を特定できる（図８参照）。
【００７５】
さらに、特殊再生演算部１４ｄは、一致キーワードに対応する動画ＩＤに対応した経過時間情報を経過時間情報記憶部１３ｅに記憶されている経過時間情報の中から各々取得する（ステップＳ１３０８）。そして、特殊再生演算部１４ｄは、取得した経過時間情報に応じて、例えば、経過時間が所定の時間よりも短ければ、経過時間情報内の動画ＩＤに紐づく一致キーワードの重要度を一定比率増加させることを決定する（ステップＳ１３０９）。なお、経過時間の長さに応じて増加させる比率を変更してもよい。
【００７６】
そして、特殊再生演算部１４ｄは、図９に示す式（Ａ）に、一定比率増加の決定を行った箇所（「属性比率」、「再生回数」、「ユーザ比率」および「経過時間比率」）に所定の変数を代入して、各抽出キーワードの重要度をそれぞれ算出する（ステップＳ１３１０）。
【００７７】
［実施例１による効果］
上述してきたように、実施例１によれば、過去に同一装置内で録画または再生された動画コンテンツごとに、動画コンテンツに含まれる各キーワードについて重要度を付与したものをキーワード出現情報としてあらかじめ記憶し、キーワード出現情報の全てについて、特殊再生処理の対象となる動画コンテンツから抽出された各抽出キーワードに一致する一致キーワードの検索を行って、一致キーワードに付与されている重要度を各々取得し、取得された各重要度を用いて各抽出キーワードの重要度を各々算出し、各抽出キーワードの重要度と、特殊再生処理の対象となる動画コンテンツにおける各抽出キーワードの検索位置とをそれぞれ対応付けて、新たなキーワード出現情報として格納し、各抽出キーワードの検索位置および各抽出キーワードの重要度に基づいて殊再生用データを生成するので、特殊再生という目的を満足するだけの高い精度を持った特殊再生用のデータを生成することが可能である。
【００７８】
また、実施例１によれば、録画および再生、録画または再生された動画コンテンツごとに属性情報を記憶し、動画コンテンツごとに記憶されている属性情報の中から、一致キーワードに紐づく動画コンテンツの属性情報を各々取得し、特殊再生処理の対象となる動画コンテンツの属性情報と一致する属性情報が存在する場合には、この属性情報に対応した動画コンテンツに紐づく一致キーワードについて、一致キーワードに付与されている重要度を重み付けするので、動画コンテンツの属性（例えば、スポーツやニュースなどのジャンルやコンテンツのタイトルなど）を加味したキーワードの重要度を得ることができ、結果として、特殊再生という目的を満足するだけの高い精度を持った特殊再生用のデータを生成することが可能である。
【００７９】
また、実施例１によれば、録画および再生、録画または再生された動画コンテンツごとに、動画コンテンツに対してユーザが実行した操作内容を特定するためのユーザ操作履歴を記憶し、この操作履歴の中から、一致キーワードに紐づく動画コンテンツの操作履歴を各々取得し、操作履歴により特定される再生回数に応じて、操作履歴に対応する動画コンテンツに紐づく一致キーワードの重要度を各々重み付けした上で、各抽出キーワードの重要度を各々算出するので、ユーザの視聴傾向を加味したキーワードの重要度を得ることができ、結果として、特殊再生という目的を満足するだけの高い精度を持った特殊再生用のデータを生成することが可能である。
【００８０】
また、実施例１によれば、操作履歴に対応付けて、操作履歴に示される操作内容を実行したユーザを特定するためのユーザ情報を記憶し、一致キーワードに紐づく動画コンテンツの操作履歴に対応するユーザ情報を各々取得し、操作履歴に対応するユーザ情報が前記特殊再生処理を希望するユーザのユーザ情報と同一である場合には、ユーザ情報が同一である操作履歴に対応した動画コンテンツに紐づく一致キーワードの重要度を各々重み付けした上で、各抽出キーワードの重要度を各々算出するので、各ユーザに視聴傾向を強く反映させたキーワードの重要度を得ることができ、結果として、特殊再生という目的を満足するだけの高い精度を持った特殊再生用のデータを生成することが可能である。
【００８１】
また、実施例１によれば、動画コンテンツが録画または再生されてからの経過時間を動画コンテンツごとに記憶し、この経過時間の中から、一致キーワードに紐づく動画コンテンツの経過情報を各々取得して、取得された経過情報に応じて、経過情報に対応した動画コンテンツに紐づく一致キーワードの重要度を重み付けした上で、各抽出キーワードの重要度を各々算出するので、時間の流れとともに変化するユーザの視聴傾向を考慮したキーワードの重要度を得ることができ、結果として、特殊再生という目的を満足するだけの高い精度を持った特殊再生用のデータを生成することが可能である。
【実施例２】
【００８２】
さて、これまで本発明を実施するための一実施形態として実施例１を説明してきたが、本発明は上述した実施例以外にも、種々の異なる形態にて実施されてよいものである。そこで、以下では、本発明に含まれる他の実施形態について実施例２を説明する。
【００８３】
（１）類義キーワードの検索
上記の実施例１において、録画または再生された動画コンテンツごとに、動画コンテンツに含まれる各キーワードに類義する（意味内容が類似する）類義キーワードをあらかじめ記憶しておいて、各抽出キーワードに一致する一致キーワードの検索を行うとともに、各抽出キーワードに対応する類義キーワードを取得して、取得された類義キーワードの検索をキーワード出現情報の全てについて行い、一致キーワードおよび類義キーワードに付与されている重要度を各々取得して、取得された各重要度を用いて各抽出キーワードの重要度を各々算出するようにしてもよい。
【００８４】
このようにすることで、動画コンテンツからのキーワード抽出を的確に行うことができ、結果として各抽出キーワードの重要度をより正確に算出することができる。
【００８５】
（２）動画配信サーバへの適用
また、上記の実施例１で説明した情報処理装置１０が備える機能（例えば、キーワード抽出部１４ｃや特殊演算処理部１４ｄの機能）を、ネットワークを介してユーザに動画コンテンツを配信するサーバ等に適用することで、少なくとも文字情報を得られるサーバであれば実施例１に係る情報処理装置１０と同様の処理を実行することができる。
【００８６】
（３）装置構成等
また、図２に示した情報処理装置１０の各構成要素は機能概念的なものであり、必ずしも物理的に図示の如く構成されていることを要しない。すなわち、情報処理装置１０の分散・統合の具体的形態は図示のものに限られず、例えば、ＡＶデータ再生部１４ｂと、キーワード抽出部１４ｃと、特殊再生演算部１４ｄとを統合するなど、その全部または一部を、各種の負荷や使用状況などに応じて、任意の単位で機能的または物理的に分散・統合して構成することができる。さらに、情報処理装置１０にて行なわれる各処理機能（例えば、制御部１４の特殊再生演算部１４ｄが実現する機能、図１３参照）は、その全部または任意の一部が、ＣＰＵおよび当該ＣＰＵにて解析実行されるプログラムにて実現され、あるいは、ワイヤードロジックによるハードウェアとして実現され得る。
【００８７】
また、情報処理装置１０の特殊演算処理部１４ｄと、キーワード出現情報記憶部１３ｂと、属性情報記憶部１３ｃと、操作履歴情報記憶部１３ｄとを分散させて、本発明に係るデータ生成装置として機能させることもできる。このデータ生成装置は、すくなくとも文字情報が得られれば、特殊再生用データを生成して各種の情報処理装置に提供することができる。
【００８８】
（４）データ生成プログラム
ところで、本発明に係るデータ生成装置の機能として、上記の実施例１で説明した情報処理装置１０が有する機能に基づいて実行される各種の処理（例えば、図１２および図１３等参照）は、あらかじめ用意されたプログラムをパーソナルコンピュータやワークステーションなどのコンピュータシステムで実行することによって実現することができる。そこで、以下では、図１４を用いて、上記の実施例１と同様の機能を有するデータ生成プログラムを実行するコンピュータの一例を説明する。図１４は、データ生成プログラムを実行するコンピュータを示す図である。
【００８９】
同図に示すように、情報処理装置としてコンピュータ２０は、入力部２１、出力部２２、ＨＤＤ２３、ＲＡＭ２４およびＣＰＵ２５をバス３０で接続して構成される。
【００９０】
ここで、入力部２１は、ユーザから各種データの入力を受け付ける。出力部２２は、各種情報を表示する。ＨＤＤ２３は、ＣＰＵ２５による各種処理の実行に必要な情報を記憶する。ＲＡＭ２４は、各種情報を一時的に記憶する。ＣＰＵ２５は、各種演算処理を実行する。
【００９１】
そして、ＨＤＤ２３には、図１４に示すように、上記の実施例１に示した情報処理装置１０の各処理部（例えば、キーワード抽出部１４ｃや特殊演算処理部１４ｄ）と同様の機能を発揮するデータ生成プログラム２３ａと、データ生成用データ２３ｂとがあらかじめ記憶されている。なお、このデータ生成プログラム２３ａを適宜分散させて、ネットワークを介して通信可能に接続された他のコンピュータの記憶部に記憶させておくこともできる。
【００９２】
そして、ＣＰＵ２５が、このデータ生成プログラム２３ａをＨＤＤ２３から読み出してＲＡＭ２４に展開することにより、図１４に示すように、データ生成プログラム２３ａはデータ生成プロセス２４ａとして機能するようになる。そして、データ生成プロセス２４ａは、データ生成用データ２３ｂ等をＨＤＤ２３から読み出して、ＲＡＭ２４において自身に割り当てられた領域に展開し、この展開したデータ等に基づいて各種処理を実行する。なお、データ生成プロセス２４ａは、図２に示した情報処理装置１０の制御部１４（例えば、キーワード抽出部１４ｃや特殊演算処理部１４ｄ）において実行される処理にそれぞれ対応する。
【００９３】
なお、上記したデータ生成プログラム２３ａについては、必ずしも最初からＨＤＤ２３に記憶させておく必要はなく、例えば、コンピュータ２０に挿入されるフレキシブルディスク（ＦＤ）、ＣＤ−ＲＯＭ、ＤＶＤディスク、光磁気ディスク、ＩＣカードなどの「可搬用の物理媒体」、さらには、公衆回線、インターネット、ＬＡＮ、ＷＡＮなどを介してコンピュータ２０に接続される「他のコンピュータ（またはサーバ）」などに各プログラムを記憶させておき、コンピュータ２０がこれらから各プログラムを読み出して実行するようにしてもよい。
【００９４】
以上の実施例１を含む実施形態に関し、さらに以下の付記を開示する。
【００９５】
（付記１）動画コンテンツの特殊再生処理に必要となる特殊再生用データを生成するデータ生成装置であって、
過去に同一装置内で録画または再生された動画コンテンツごとに、当該動画コンテンツに含まれる各キーワードについて重要度を付与したものを解析データとしてあらかじめ記憶する解析データ記憶手段と、
前記解析データ記憶手段により記憶されている解析データの全てについて、前記特殊再生処理の対象となる動画コンテンツから抽出された各抽出キーワードに一致する一致キーワードの検索を行って、当該一致キーワードに付与されている重要度を各々取得し、当該取得された各重要度を用いて各抽出キーワードの重要度を各々算出する重要度算出手段と、
前記重要度算出手段により算出された各抽出キーワードの重要度と、前記特殊再生処理の対象となる動画コンテンツにおける各抽出キーワードの検索位置とをそれぞれ対応付けて、新たな解析データとして格納する解析データ格納手段と、
前記解析データ格納手段により格納される前記各抽出キーワードの検索位置、および当該各抽出キーワードの重要度に基づいて、前記特殊再生用データを生成する特殊再生用データ生成手段と、
を備えたことを特徴とするデータ生成装置。
【００９６】
（付記２）前記録画または再生された動画コンテンツごとに属性情報をあらかじめ記憶する属性情報記憶手段をさらに備え、
前記重要度算出手段は、前記属性情報記憶手段により記憶されている属性情報の中から、前記一致キーワードに紐づく動画コンテンツの属性情報を各々取得し、前記特殊再生処理の対象となる動画コンテンツの属性情報と一致する属性情報が存在する場合には、当該属性情報に対応した動画コンテンツに紐づく前記一致キーワードの重要度を重み付けした上で、前記各抽出キーワードの重要度を各々算出することを特徴とする付記１に記載のデータ生成装置。
【００９７】
（付記３）前記録画または再生された動画コンテンツごとに、当該動画コンテンツに対するユーザの操作履歴を記憶する操作履歴記憶手段をさらに備え、
前記重要度算出手段は、前記操作履歴記憶手段により記憶されている操作履歴の中から、前記一致キーワードに紐づく動画コンテンツの操作履歴を各々取得し、当該操作履歴から特定される再生操作回数に応じて、当該操作履歴に対応した動画コンテンツに紐づく前記一致キーワードの重要度を各々重み付けした上で、前記各抽出キーワードの重要度を各々算出することを特徴とする付記１または２に記載のデータ生成装置。
【００９８】
（付記４）前記操作履歴記憶手段は、前記操作履歴に対応付けて、当該操作履歴に示される操作を実行したユーザを特定するためのユーザ情報を記憶し、
前記重要度算出手段は、前記操作履歴記憶手段により記憶されているユーザ情報の中から、前記一致キーワードに紐づく動画コンテンツの操作履歴に対応するユーザ情報を各々取得し、当該操作履歴に対応するユーザ情報が前記特殊再生処理を希望するユーザのユーザ情報と同一である場合には、ユーザ情報が互いに同一である操作履歴に対応した動画コンテンツに紐づく前記一致キーワードの重要度を各々重み付けした上で、前記各抽出キーワードの重要度を各々算出することを特徴とする付記３に記載のデータ生成装置。
【００９９】
（付記５）前記録画または再生された動画コンテンツごとに、当該動画コンテンツが録画または再生されてからの経過時間を動画コンテンツごとに記憶する経過時間記憶手段をさらに備え、
前記経過情報記憶手段により記憶されている経過時間の中から、前記一致キーワードに紐づく動画コンテンツの経過情報を各々取得して、当該取得された経過情報に応じて、当該経過情報に対応した動画コンテンツに紐づく前記一致キーワードの重要度を各々重み付けした上で、前記各抽出キーワードの重要度を各々算出することを特徴とする付記１〜４のいずれか一つに記載のデータ生成装置。
【０１００】
（付記６）前記録画または再生された動画コンテンツごとに、当該動画コンテンツに含まれる各キーワードに類義する類義キーワードをあらかじめ記憶する類義キーワード情報記憶手段をさらに備え、
前記重要度算出手段は、前記各抽出キーワードに一致する一致キーワードの検索を行うとともに、当該各抽出キーワードに対応する類義キーワードを前記類義キーワード情報記憶手段の中から取得して、当該取得された類義キーワードの検索を前記解析データ記憶手段により記憶されている解析データの全てについて行い、当該一致キーワードおよび当該類義キーワードに付与されている重要度を各々取得して、当該取得された各重要度を用いて各抽出キーワードの重要度を各々算出することを特徴とする付記１に記載のデータ生成装置。
【０１０１】
（付記７）動画コンテンツの特殊再生処理に必要となる特殊再生用データの生成処理をコンピュータに実行させるデータ生成プログラムであって、
過去に同一装置内で録画または再生された動画コンテンツごとに、当該動画コンテンツに含まれる各キーワードについて重要度を付与したものを解析データとしてあらかじめ記憶部に記憶する解析データ記憶手順と、
前記解析データ記憶手順により記憶部に記憶された解析データの全てについて、前記特殊再生処理の対象となる動画コンテンツから抽出された各抽出キーワードに一致する一致キーワードの検索を行って、当該一致キーワードに付与されている重要度を各々取得し、当該取得された各重要度を用いて各抽出キーワードの重要度を各々算出する重要度算出手順と、
前記重要度算出手順により算出された各抽出キーワードの重要度と、前記特殊再生処理の対象となる動画コンテンツにおける各抽出キーワードの検索位置とをそれぞれ対応付けて、新たな解析データとして記憶部に格納する解析データ格納手順と、
前記解析データ格納手順により格納される前記各抽出キーワードの検索位置、および当該各抽出キーワードの重要度に基づいて、前記特殊再生用データを生成する特殊再生用データ生成手順と、
をコンピュータに実行させることを特徴とするデータ生成プログラム。
【０１０２】
（付記８）前記録画または再生された動画コンテンツごとに属性情報をあらかじめ記憶部に記憶する属性情報記憶手順をさらにコンピュータに実行させ、
前記重要度算出手順は、前記属性情報記憶手順により記憶部に記憶された属性情報の中から、前記一致キーワードを含んだ解析データに対応する動画コンテンツの属性情報を各々取得し、前記特殊再生処理の対象となる動画コンテンツの属性情報と一致する属性情報が存在する場合には、当該属性情報に対応した動画コンテンツに紐づく前記一致キーワードの重要度を重み付けした上で、前記各抽出キーワードの重要度を各々算出することを特徴とする付記７に記載のデータ生成プログラム。
【０１０３】
（付記９）前記録画または再生された動画コンテンツごとに、当該動画コンテンツに対するユーザの操作履歴をあらかじめ記憶部に記憶する操作履歴記憶手順をさらにコンピュータに実行させ、
前記重要度算出手順は、前記操作履歴記憶手順により記憶部に記憶された操作履歴の中から、前記一致キーワードを含んだ解析データに対応する動画コンテンツの操作履歴を各々取得し、当該操作履歴から特定される再生操作回数に応じて、当該操作履歴に対応した動画コンテンツに紐づく前記一致キーワードの重要度を各々重み付けした上で、前記各抽出キーワードの重要度を各々算出することを特徴とする付記７または８に記載のデータ生成プログラム。
【０１０４】
（付記１０）前記操作履歴記憶手順は、前記操作履歴に対応付けて、当該操作履歴に示される操作を実行したユーザを特定するためのユーザ情報をあらかじめ記憶部に記憶し、
前記重要度算出手順は、前記操作履歴記憶手順により記憶部に記憶された操作履歴の中から、前記一致キーワードに紐づく動画コンテンツの操作履歴に対応するユーザ情報を各々取得し、当該操作履歴に対応するユーザ情報が前記特殊再生処理を希望するユーザのユーザ情報と同一である場合には、ユーザ情報が互いに同一である操作履歴に対応した動画コンテンツに紐づく前記一致キーワードの重要度を各々重み付けした上で、前記各抽出キーワードの重要度を各々算出することを特徴とする付記９に記載のデータ生成プログラム。
【０１０５】
（付記１１）前記動画コンテンツが録画または再生されてからの経過時間を動画コンテンツごとに記憶部に記憶する経過時間記憶手順をさらにコンピュータに実行させ、
前記経過情報記憶手順により記憶部に記憶された経過時間の中から、前記一致キーワードに紐づく動画コンテンツの経過情報を各々取得して、当該取得された経過情報に応じて、当該経過情報に対応した動画コンテンツに紐づく前記一致キーワードの重要度を各々重み付けした上で、前記各抽出キーワードの重要度を各々算出することを特徴とする付記７〜１０のいずれか一つに記載のデータ生成プログラム。
【０１０６】
（付記１２）前記録画または再生された動画コンテンツごとに、当該動画コンテンツに含まれる各キーワードに類義する類義キーワードをあらかじめ記憶部に記憶する類義キーワード情報記憶手順をさらにコンピュータに実行させ、
前記重要度算出手順は、前記各抽出キーワードに一致する一致キーワードの検索を行うとともに、前記類義キーワード情報記憶手順により記憶部に記憶された類義キーワードの中から、当該各抽出キーワードに対応する類義キーワードを取得して、当該取得された類義キーワードの検索を前記解析データ記憶手順により記憶部に記憶された解析データの全てについて行い、当該一致キーワードおよび当該類義キーワードに付与されている重要度を各々取得して、当該取得された各重要度を用いて各抽出キーワードの重要度を各々算出することを特徴とする付記７に記載のデータ生成プログラム。
【０１０７】
（付記１３）動画コンテンツの特殊再生処理に必要となる特殊再生用データを用いて、前記動画コンテンツの特殊再生処理を行う情報処理装置であって、
過去に同一装置内で録画または再生された動画コンテンツごとに、当該動画コンテンツに含まれる各キーワードについて重要度を付与したものを解析データとしてあらかじめ記憶する解析データ記憶手段と、
前記解析データ記憶手段により記憶されている解析データの全てについて、前記特殊再生処理の対象となる動画コンテンツから抽出された各抽出キーワードに一致する一致キーワードの検索を行って、当該一致キーワードに付与されている重要度を各々取得し、当該取得された各重要度を用いて各抽出キーワードの重要度を各々算出する重要度算出手段と、
前記重要度算出手段により算出された各抽出キーワードの重要度と、前記特殊再生処理の対象となる動画コンテンツにおける各抽出キーワードの検索位置とをそれぞれ対応付けて、新たな解析データとして格納する解析データ格納手段と、
前記解析データ格納手段により格納される前記各抽出キーワードの検索位置、および当該各抽出キーワードの重要度に基づいて、前記特殊再生用データを生成する特殊再生用データ生成手段と、
前記特殊再生用データ生成手段により生成された前記特殊再生用データを用いて、前記特殊再生処理の対象となる動画コンテンツを特殊再生する特殊再生手段と、
を備えたことを特徴とする情報処理装置。
【産業上の利用可能性】
【０１０８】
以上のように、本発明に係るデータ生成装置、データ生成プログラムおよび情報処理装置は、蓄積されている動画コンテンツの特殊再生処理に必要となる特殊再生用データの生成する場合等に有用であり、特に、特殊再生という目的を満足するだけの高い精度を持った特殊再生用のデータを生成することに適する。
【図面の簡単な説明】
【０１０９】
【図１】実施例１に係る情報処理装置の概要および特徴を説明するための図である。
【図２】実施例１に係る情報処理装置の構成を示すブロック図である。
【図３】実施例１に係る動画コンテンツの構成例を示す図である。
【図４】実施例１に係るキーワード出現情報の構成例を示す図である。
【図５】実施例１に係る動画コンテンツの属性情報の構成例を示す図である。
【図６】実施例１に係る操作履歴の構成例を示す図である。
【図７】実施例１に係るキーワード抽出例を示す図である。
【図８】実施例１に係るユーザの操作概要を示す図である。
【図９】実施例１に係る重要度の算出式を示す図である。
【図１０】実施例１に係る処理対象コンテンツ内のキーワードと重要度の対応付けを示す図である。
【図１１】実施例１に係る処理対象コンテンツからのシーン抽出を説明するための図である。
【図１２】実施例１に係る情報処理装置の処理の流れを示すフローチャートである。
【図１３】実施例１に係る重要度算出処理の流れを示すフローチャートである。
【図１４】データ生成プログラムを実行するコンピュータを示す図である。
【符号の説明】
【０１１０】
１０  情報処理装置
１１  ＡＶデータ入力部
１２  ＡＶデータ表示部
１３  記憶部
１３ａ  動画コンテンツ記憶部
１３ｂ  キーワード出現情報記憶部
１３ｃ  属性情報記憶部
１３ｄ  操作履歴情報記憶部
１３ｅ  経過時間情報記憶部
１４  制御部
１４ａ  ＡＶデータ録画部
１４ｂ  ＡＶデータ再生部
１４ｃ  キーワード抽出部
１４ｄ  特殊再生演算部
２０  コンピュータ（情報処理装置）
２１  入力部
２２  出力部
２３  ＨＤＤ（Hard Disk Drive）
２３ａ  データ生成プログラム
２３ｂ  データ生成用データ
２４  ＲＡＭ（Random Access Memory）
２４ａ  配線設計処理プロセス
２５  ＣＰＵ（Central Processing Unit）
３０  バス
【図１】
0005088119.tif 000002
【図２】
0005088119.tif 000003
【図３】
0005088119.tif 000004
【図４】
0005088119.tif 000005
【図５】
0005088119.tif 000006
【図６】
0005088119.tif 000007
【図７】
0005088119.tif 000008
【図８】
0005088119.tif 000009
【図９】
0005088119.tif 000010
【図１０】
0005088119.tif 000011
【図１１】
0005088119.tif 000012
【図１２】
0005088119.tif 000013
【図１３】
0005088119.tif 000014
【図１４】
0005088119.tif 000015